(57)【特許請求の範囲】
【請求項１】
下面に左右に延びる補強部材を配置した商品載置用の棚と、この商品棚の商品表示板とを備えたショーケースにおいて、
前記補強部材の左右両端を前記棚側面から横方向に突出させ、この突出部分に前記商品表示板の支持部を形成した
ことを特徴とするショーケース。
【請求項２】
前記支持部を、前記補強部材の突出部分を上方に屈曲させた屈曲部分と前記棚側面との間に形成した
ことを特徴とする請求項１記載のショーケース。
【請求項３】
前記商品表示板を棚の前側及び左右側の周縁に沿って略コ字状に形成した
ことを特徴とする請求項１または２記載のショーケース。
【請求項４】
前記補強部材を配置した棚は、ショーケース本体の最下部に設置された敷板である
ことを特徴とする請求項１乃至３の何れか１項記載のショーケース。
【発明の詳細な説明】
【０００１】
【発明の属する技術分野】
本発明は、コンビニエンスストアやスーパーマーケット等で商品陳列に用いられるショーケースに関するものである。
【０００２】
【従来の技術】
従来、この種のショーケースとしては、前面及び両側面を開口した断熱性のショーケース本体と、この両側面に設けられた透明板とを有し、このショーケース本体内に商品を載置する棚を上下に並設したものが一般的に知られている。この棚には、載置されていた商品が冷却状態となっているのか、或いは、加温状態となっているのかを識別するため、加温・冷却を表示する商品表示板を固定する必要があり、これにより、商品表示板用の固定部材を棚の前側に設け、この固定部材に商品表示板を抜き差し、購買者に商品の冷却・加温状態を視認させている。
【０００３】
【発明が解決しようとする課題】
しかしながら、前記ショーケースにおいては、商品表示板の固定部材を棚部品とは別個に設けているため、部品点数が多くなって製造コストが嵩むという問題点があった。また、この固定部を棚の上面に溶接等で取り付けなければならず、ショーケース製造時に多大な手間を要し、これによっても製造コストが嵩む。さらに、固定部材が棚の上面に設けられているため、棚上面の商品載置等に利用可能な範囲が狭くなるという問題点もある。
【０００４】
本発明は前記問題点に鑑みてなされたものであり、その目的とするところは、製造コストを低減し、且つ、棚上面の商品載置等に利用可能な範囲を広くすることのできるショーケースを提供することにある。
【０００５】
【課題を解決するための手段】
本発明は前記目的を達成するために、請求項１では、下面に左右に延びる補強部材を配置した商品載置用の棚と、この商品棚の商品表示板とを備えたショーケースにおいて、前記補強部材の左右両端を前記棚側面から横方向に突出させ、この突出部分に前記商品表示板の支持部を形成している。これにより、補強部材により商品表示板が支持され、例えば棚の上面に商品表示板の固定部材等を設ける必要はなく、部品点数を少なくすることができる。
【０００６】
また、請求項２では、請求項１記載のショーケースにおいて、前記支持部を、前記補強部材の突出部分を上方に屈曲させた屈曲部分と前記棚側面との間に形成している。これにより、請求項１の作用に加え、商品表示板は屈曲部分と棚側面との間に挿入され、補強部材により支持される。
【０００７】
また、請求項３では、請求項１または２記載のショーケースにおいて、前記商品表示板を棚の前側及び左右側の周縁に沿って略コ字状に形成している。これにより、請求項１または２の作用に加え、例えば商品表示板の前側及び左右側に表示を施すことにより、一つの商品表示板でショーケースの前面側及び両側面側の表示を行うことができる。
【０００８】
また、請求項４では、請求項１乃至３の何れか１項記載のショーケースにおいて、前記補強部材を配置した棚は、ショーケース本体の最下部に設置された敷板である。これにより、請求項１乃至３の何れか１項の作用に加え、ショーケース本体の最下部の敷板における部品点数を少なくすることができる。
【０００９】
【発明の実施の形態】
図１乃至図５は本発明のショーケースの一実施形態を示すもので、図１はショーケースの外観斜視図、図２はショーケースの側面断面図、図３は棚の分解斜視図、図４は商品表示板を外した状態を示す棚の斜視図、図５は棚の要部斜視図である。
【００１０】
図１に示すように、このショーケースは、前面及び両側面を開口したショーケース本体１と、ショーケース本体１の両側面に設けられた一対の透明板２と、ショーケース本体１内に設けられ上段・中段・下段の計三段からなる棚３とを備えている。
【００１１】
図２に示すように、ショーケース本体１内には、その背面側下方に冷却用の蒸発器４と、その下部に蒸発器用送風機５とが備えられている。蒸発器４はショーケース本体１下方の機械室６内に設けられた凝縮器７及び圧縮機８とともに冷凍回路を構成している。また、ショーケース本体１内には上段の棚３の上面を加温するヒータ９が備えられ、このショーケースでは季節や販売商品に応じて、商品の冷却・加温を変更するようになっている。このショーケースの場合、ショーケース本体１内上部と、上段の棚３の下部とに冷気の吐出口を有し、何れか一方の吐出口から冷気が吐出されるようになっているので、全ての棚３の商品を冷却する態様と、上段の棚３の商品を加温して中段・下段の商品を冷却する態様との何れかを選択できるようになっている。また、各棚３はショーケースの前後方向及び左右方向に延びる板状に形成され、前端及び左右両端に沿って略コ字状に形成された冷却・加温状態を示す商品表示板３ａと、前端側に着脱自在に設けられた広告表示用の化粧枠３ｂとを有している。ここで、商品表示板３ａには、前面及び両側面に冷却・加温状態の表示が施されている。
【００１２】
図３及び図４に示すように、下段の棚３はショーケース本体１の最下部に設置された敷板であり、この棚３の下面には左右に延びる二つの補強部材３ｃが前後方向に並設されている。各補強部材３ｃの側面断面は上方を開口した略コ字状であり、開口両端には鍔部３ｄが設けられ、この鍔部３ｄが棚３の下面にスポット溶接により固定されている。図５に示すように、各補強部材３ｃの棚３の下面と対向する部分の左右両端は棚３よりも外側に突出し、その端部において上方に屈曲した屈曲部３ｅが形成されている。この屈曲部３ｅと棚３の側面との間に商品表示板３ａの支持部１０が形成され、商品表示板３ａは棚３に着脱自在に設置されている。
【００１３】
このように、本実施形態のショーケースによれば、各補強部材３ｃの各支持部１０により商品表示板３ａを支持するようにしたので、棚３の上面に商品表示板３ａの固定部材等を設ける必要はなく、部品点数を少なくすることができ、製造コストを低減することができる。
【００１４】
また、各補強部材３ｃを棚３から突出させて商品表示板３ａを支持するようにしたので、棚３の上面全ての範囲に商品を載置することができる。例えば、棚の上面に商品表示板及びこの固定部材を設置した従来のもののように、棚３の上面における所定範囲への商品の載置が規制されることはない。
【００１５】
また、屈曲部３ｅと棚３の側面との間に支持部１０を形成したので、補強部材３ｃの左右両端を上方へ折り曲げる簡単な加工により棚３に商品表示板３ａを設置することができ、例えば商品表示板の固定部材を溶接等により棚に取り付けるものに比べ、製造コストを格段に低減することができる。さらに、簡単な構造で確実に商品表示板３ａを支持することができる。
【００１６】
また、商品表示板３ａを略コ字状に形成し、一つの商品表示板３ａによりショーケースの前面側及び両側面側の表示を行うようにしたので、ショーケース前方に加え、側方からも加温・冷却状態を視認することができる。また、例えば商品表示板３ａを前側と左右両側にそれぞれ設けるなどして部品点数が増し、製造コストが増大することはない。さらに、商品表示板３ａが一つであるので、冷却・加温を変更する際の商品表示板３ａの交換作業を速やかに行うことができ、実用に際して極めて有利である。
【００１７】
尚、前記実施形態においては、各補強部材３ｃの端部を上方に屈曲させ、この部分を支持部１０としたものを示したが、例えば図６に示すように、各補強部材３ｃの端部側に商品表示板３ａを嵌め込み可能な溝３ｆを設けてこれを支持部１０ａとしても、前記実施形態と同様の作用効果を得ることができる。
【００１８】
また、前記実施形態においては、商品表示板３ａを略コ字状に形成したものを示したが、棚の前側と左右両側とに分割されたものであってもよい。また、商品表示板３ａの前面及び両側面に表示を施したものを示したが、前面のみに表示が施されたものであってもよい。
【００１９】
また、前記実施形態においては、下段の棚３の補強部材３ｃの左右両端側に支持部１０を形成したものを示したが、上段・中段の棚３が補強部材を有するものにおいては、前記実施形態と同様に左右両端側に支持部を形成してもよい。
【００２０】
【発明の効果】
以上説明したように、請求項１記載のショーケースによれば、補強部材の支持部により商品表示板を支持するようにしたので、棚の上面に商品表示板の固定部材等を設ける必要はなく、部品点数を少なくすることができ、製造コストを低減することができる。さらに、棚の上面全ての範囲に商品を載置することができ、例えば、棚の上面に商品表示板及びこの固定部材を設置して、棚の上面における所定範囲への商品の載置が規制されることはない。
【００２１】
また、請求項２記載のショーケースによれば、請求項１の効果に加え、屈曲部分と棚の側面との間に支持部を形成したので、補強部材の左右両端を上方へ折り曲げる簡単な加工により棚に商品表示板を設置することができ、例えば商品表示板の固定部材を溶接等により棚に取り付けるものに比べ、製造コストを格段に低減することができる。さらに、簡単な構造で確実に商品表示板を支持することができる。
【００２２】
また、請求項３記載のショーケースによれば、請求項１または２の効果に加え、例えば商品表示板の前側及び左右側に表示を施すことにより、ショーケース前方に加え、側方からも加温・冷却状態を視認することができる。また、例えば商品表示板を前側と左右両側にそれぞれ設けるなどして部品点数が増して製造コストが増大することはない。さらに、商品表示板が一つであるので、商品表示板の交換作業を速やかに行うことができ、実用に際して極めて有利である。
【００２３】
また、請求項４記載のショーケースによれば、請求項１乃至３の何れか１項の効果に加え、ショーケース本体の最下部の敷板における部品点数を少なくすることができ、実用に際して極めて有利である。
【図面の簡単な説明】
【図１】本発明の一実施形態を示すショーケースの外観斜視図
【図２】ショーケースの側面断面図
【図３】棚の分解斜視図
【図４】商品表示板を外した状態を示す棚の斜視図
【図５】棚の要部説明図
【図６】棚の要部説明図
【符号の説明】
１…ショーケース本体、３…棚、３ａ…商品表示板、３ｃ…補強部材、３ｅ…屈曲部、１０…支持部、１０ａ…支持部。
【図１】
0003679980.tif 000002
【図２】
0003679980.tif 000003
【図３】
0003679980.tif 000004
【図４】
0003679980.tif 000005
【図５】
0003679980.tif 000006
【図６】
0003679980.tif 000007